(57)【要約】      （修正有）【課題】外箱の開口部から内袋に突設している液体注出口を外部に突出させてなるバッグインボックスにおいて、上記注出口の径の大小にかかわらず、外部からこの注出口に装着して固定することができる注出口固定装置を提供する。【解決手段】蓋体７を開閉自在に取付けている箱体１の底板1aに注出口挿通孔２を設けていると共にこの注出口挿通孔２を囲むようにして複数枚の注出口挟持羽根を底板1a上に配設してこれらの挟持羽根の基端部を内外方向に回動自在に枢着していると共に、これらの挟持羽根を介して注出口挿通孔２の周縁部上に駆動リングを往復回動自在に配設してこの駆動リングの回動により、カム手段６を介して上記注出口挟持羽根を注出口挿通孔２を狭める方向に作動させ、注出口Ａを挟着、固定するように構成している。【選択図】図３
2018065576.tif 000002
【特許請求の範囲】
【請求項１】
バッグインボックスにおける内袋の注出口を収容可能な空間部を有する箱体と、この箱体の底板中央部に設けられた注出口挿通孔と、注出口挿通孔の周縁部上に周方向に一定間隔毎にその基端部を枢着ピンによって内外方向に回動自在に枢着され、注出口挿通孔に面した内端面を注出口挟持面に形成している複数枚の挟持羽根と、これらの挟持羽根上に上記注出口挿通孔の中心を回動中心として正逆方向に回動自在に配設された駆動リングと、この駆動リングの回動によって上記複数枚の挟持羽根を上記注出口挿通孔内に対して出入りさせて、これらの挟持羽根の注出口挟持面によって囲まれた挟持用空間部を拡縮する方向に作動させるカム手段と、上記箱体を開閉自在に閉止する蓋体とからなることを特徴とするバッグインボックス用注出口固定装置。
【請求項２】
駆動リングには周方向に一定間隔毎にこの駆動リングの回動中心を中心として円弧状に湾曲した長孔が設けられていると共にこれらの各長孔に上記複数枚の挟持羽根の各枢着ピンが長孔の長さ方向に相対移動可能に挿通されてあり、枢着ピンの外周面又はこの枢着ピンに被嵌した環体片の外周面を長孔に摺接させていることを特徴とする請求項１に記載のバッグインボックス用注出口固定装置。
【請求項３】
カム手段は，各挟持羽根の長さ方向の中間部に突設しているカムピンと、これらのカムピンに対応して駆動リングの複数箇所に内端側から外端側に向かって注出口挿通孔の中心から離間する方向に傾斜した傾斜長孔とからなり、傾斜長孔の孔壁を上記カムピンが摺接するカム面に形成していることを特徴とする請求項１に記載のバッグインボックス用注出口固定装置。
【請求項４】
駆動リングに設けている少なくとも一つの長孔の外端部にカムピンを係止させて複数枚の挟持羽根の注出口挟持面によって囲まれた挟持用空間部を最大限にまで拡大させた状態に維持するための係止孔部を設けていることを特徴とする請求項１又は請求項３に記載のバッグインボックス用注出口固定装置。
【請求項５】
駆動リングと箱体の内面間に、駆動リングを、複数枚の挟持羽根の注出口挟持面によって囲まれた挟持用空間部が縮小する回動方向に常時付勢している引っ張りスプリングを張設していると共に駆動リングに回動操作用突片を突設していることを特徴とする請求項１又は請求項４に記載のバッグインボックス用注出口固定装置。
【請求項６】
箱体は横長矩形状の底板の四方縁片に一定高さの壁板を突設してなる一方、蓋体は箱体の底板よりも小さい横長矩形状に形成されていると共にその両側縁辺に、閉蓋した際に箱体の底板の両側端部上に当接する一定高さの両側壁板を突設してなり、この蓋体の両側壁板を覆う箱体の両側壁板に、バッグインボックスの外箱の前面に突設している箱体支持用軸体に着脱自在に取付けるための切欠開口部とこの切欠開口部から上方に向かって直角に連通した軸体係合用縦長孔部とを設けていることを特徴とする請求項１に記載のバッグインボックス用注出口固定装置。
【発明の詳細な説明】
【技術分野】
【０００１】
本発明は、飲料水や液体調味料、化粧水などの液体が充填された内袋を外箱内に収納してなるバッグインボックスにおいて、外箱に設けている開口部から突出した内袋の注出口を固定するための固定装置に関する。
【背景技術】
【０００２】
従来から、スパウトと称される注出口を設けた合成樹脂製フィルムよりなる柔軟な袋を内袋とし、段ボール箱を外箱として、液体を充填した内袋を外箱によって保護すると共に液体の充填によって膨脹した内袋を外袋の内壁面に密接、支持させてその形態に保持させてなる所謂、バッグインボックスと称される容器が知られている。
【０００３】
そして、この種のバッグインボックスによれば、その注出口を上向きにした状態でダンボール箱からなる外箱の天板に穿設している固定孔に挿通状態で注出作業時には注出口に螺合しているキャップを取り外したのち、外箱を傾けながら内袋から液体を注出口を通じて外部に注出している。
【０００４】
しかしながら、上記バッグインボックスによれば、外箱が比較的強度の低い段ボール箱からなるので、外箱及び内袋を大きくして内袋に大容量の液体を充填すると、外箱が破損する虞れがあるばかりでなく、運搬等の取扱いが困難となり、その上、外箱を傾けて注出口から液体を注出する作業ができなくなるといった問題点がある。また、内袋に小容量の液体を収容しているバッグインボックスでは、大量の液体を使用するユーザーにとって使用勝手が悪い。
【０００５】
このため、例えば、特許文献１に記載されているように、外箱として５００〜１２００リットルの液体を充填した内袋を収納可能なステンレス製等の耐久性のよいコンテナを採用してなるバッグインボックス（大形バッグインコンテナー）が開発されている。
【０００６】
このバッグインボックスは、上部に充填口を設け、下部に注出口を設けている大型ガセット袋を内袋としてこの内袋を組立式コンテナからなる外箱内に収納し、充填口から内袋内に液体を充填する一方、注出口は外箱の下部に設けている開口部から外部に突出してあり、この開口部には、対向面に注出口の外径に等しい径の半円状の孔を設けている固定板と移動板とからなるゲートが配設されていて、外箱の下端部に固定された固定板の上向きにしている半円状の孔に注出口のスパウトの下半部を嵌め込んたのち、半円状の孔を下向きにした状態で移動板を上方から押し込むことによってその半円状の孔と上記固定板の半円状の孔とで注出口のスパウトの外周面を挟着、固定するように構成している。
【先行技術文献】
【特許文献】
【０００７】
【特許文献１】特開平１１−１５２１８４号公報
【発明の概要】
【発明が解決しようとする課題】
【０００８】
しかしながら、上記バッグインボックスによれば、注出口を外部に突出させるための開口部の前面に注出口のスパウトを挟着、固定するための固定板とこの固定板に対して上下移動可能に配設した移動板とを備えてなる外箱を必要とし、既存のコンテナからなる外箱をバッグインボックスの外箱として採用することが困難である。
【０００９】
さらに、ゲートを構成している固定板と移動板とは、その対向面に設けている半円径の孔を外箱内に収容した内袋の注出口の外径に合わせて形成しているため、外径の異なる注出口を備えた内袋を外箱に収納した場合には、注出口固定手段としての機能を果たすことができないといった問題点がある。
【００１０】
本発明はこのような問題点に鑑みてなされたもので、その目的とするところは、液体が充填された内袋を外箱内に収納してなるバッグインボックスにおいて、内袋に設けている注出口の外径が異なっていても、外部からその注出口に装着してこの注出口を簡単且つ確実に固定することができ、さらに、外箱から突出するこの注出口を内部に収納した状態を保持して注出口が外部からの操作等によって開放されるのを防止することができるバッグインボックス用注出口固定装置を提供するにある。
【課題を解決するための手段】
【００１１】
上記目的を達成するために、本発明のバッグインボックス用注出口固定装置は、請求項１に記載したように、バッグインボックスにおける内袋の注出口を収容可能な空間部を有する箱体と、この箱体の底板中央部に設けられた注出口挿通孔と、注出口挿通孔の周縁部上に周方向に一定間隔毎にその基端部を枢着ピンによって内外方向に回動自在に枢着され、注出口挿通孔に面した内端面を注出口挟持面に形成している複数枚の挟持羽根と、これらの挟持羽根上に上記注出口挿通孔の中心を回動中心として正逆方向に回動自在に配設された駆動リングと、この駆動リングの回動によって上記複数枚の挟持羽根を上記注出口挿通孔内に対して出入りさせて、これらの挟持羽根の注出口挟持面によって囲まれた挟持用空間部を拡縮する方向に作動させるカム手段と、上記箱体を開閉自在に閉止する蓋体とからなることを特徴とする。
【００１２】
１
このように構成したバッグインボックス用注出口固定装置において、請求項２に係る発明は、上記駆動リングには周方向に一定間隔毎にこの駆動リングの回動中心を中心として円弧状に湾曲した長孔が設けられていると共にこれらの各長孔に上記複数枚の挟持羽根の各枢着ピンが長孔の長さ方向に相対移動可能に挿通されてあり、枢着ピンの外周面又はこの枢着ピンに被嵌した環体片の外周面を長孔に摺接させていることを特徴とする。
【００１３】
また、上記請求項１に記載のバッグインボックス用注出口固定装置において、カム手段は，請求項３に記載したように、各挟持羽根の長さ方向の中間部に突設しているカムピンと、これらのカムピンに対応して駆動リングの複数箇所に内端側から外端側に向かって注出口挿通孔の中心から離間する方向に傾斜した傾斜長孔とからなり、傾斜長孔の孔壁を上記カムピンが摺接するカム面に形成していることを特徴とする。
【００１４】
請求項４に係る発明は、上記駆動リングに設けている少なくとも一つの長孔の外端部にカムピンを係止させて複数枚の挟持羽根の注出口挟持面によって囲まれた挟持用空間部を最大限にまで拡大させた状態に維持するための係止孔部を設けていることを特徴とする。  
【００１５】
請求項５に係る発明は、上記駆動リングと箱体の内面間に、駆動リングを、複数枚の挟持羽根の注出口挟持面によって囲まれた挟持用空間部が縮小する回動方向に常時付勢している引っ張りスプリングを張設していると共に駆動リングに回動操作用突片を突設していることを特徴とする。
【００１６】
また、請求項６に係る発明は、箱体は横長矩形状の底板の四方縁片に一定高さの壁板を突設してなる一方、蓋体は箱体の底板よりも小さい横長矩形状に形成されていると共にその両側縁辺に、閉蓋した際に箱体の底板の両側端部上に当接する一定高さの両側壁板を突設してなり、この蓋体の両側壁板を覆う箱体の両側壁板に、バッグインボックスの外箱の前面に突設している箱体支持用軸体に着脱自在に取付けるための切欠開口部とこの切欠開口部から上方に向かって直角に連通した軸体係合用縦長孔部とを設けていることを特徴とする。
【発明の効果】
【００１７】
請求項１に係る発明によれば、バッグインボックス用注出口固定装置は、バッグインボックスにおける内袋の注出口を収容可能な空間部を有する箱体内にこの箱体の底板中央部に設けられた注出口挿通孔から突出する上記注出口の外周面を挟持するための複数枚の挟持羽根と、この挟持羽根を注出口挿通孔に出入りさせるための駆動リングとを備えてなるものであるから、バッグインボックスとは別体に構成されているので、不使用時には、多数の固定装置を保管場所に整然と積み重ね状態にして保管しておくことができ、使用時には、バッグインボックスの内袋内への液体充填作業場所にまで必要数の固定装置を持ち運んで、外箱の開口部から突出している内袋の注出口に装着して注出口を固定することができる。
【００１８】
この際、箱体の底部中央部に設けている注出口挿通孔の径は注出口の外径よりも大径に形成されていると共に、複数枚の挟持羽根は、この注出口挿通孔の周縁部上に周方向に一定間隔毎にその基端部を枢着ピンによって内外方向に回動自在に枢着されてあり、注出口挿通孔に面した内端面を注出口挟持面に形成しているので、内袋に設けている注出口の外径の大小にかかわらず、複数枚の挟持羽根を注出口挿通孔に向かって回動させて、これらの挟持羽根の上記注出口挟持面で囲まれた挟持用空間部を縮小させ、各挟持羽根の内縁部を注出口の外周面に設けている周溝にこの周溝を挟持するように係止させることによって注出口を簡単且つ確実に固定させることができる。
【００１９】
さらに、上記駆動リングの回動によって複数枚の挟持羽根を上記注出口挿通孔内に対して出入りさせる方向に作動させるカム手段を備えているので、駆動リングの回動により複数枚の挟持羽根を一斉に且つ同じ動きでもって作動させることができ、注出口の固定作業が簡単且つ精度よく行うことができる。
【００２０】
また、本発明注出口固定装置における上記箱体に、この箱体を開閉する蓋体を設けているので、バッグインボックスの外箱の開口部から突出する内袋の注出口をこの箱体内に収納した状態にして外部から不測に注出口が開放されるのを蓋体の閉止によって防止することができる。
【００２１】
請求項２に係る発明によれば、上記駆動リングには周方向に一定間隔毎にこの駆動リングの回動中心を中心として円弧状に湾曲した長孔が設けられていると共にこれらの各長孔に上記複数枚の挟持羽根の各枢着ピンが長孔の長さ方向に相対移動可能に挿通されているので、複数枚の挟持羽根の枢着ピンと駆動リングに設けている長孔とをガイドとして駆動リングをこの駆動リングの中心回りに正確に往復回動させて複数枚の挟持羽根の注出口挟持面で囲まれた挟持用空間部を拡縮させることができる。この際、枢着ピンの外周面又はこの枢着ピンに被嵌した環体片の外周面を長孔に摺接させているので、ガタツキを生じさせることなく駆動リングを精度よく円滑に回動させることができる。
【００２２】
また、請求項１に係る発明において、カム手段は、請求項３に記載したように、各挟持羽根の長さ方向の中間部に突設しているカムピンと、これらのカムピンに対応して駆動リングの複数箇所に内端側から外端側に向かって注出口挿通孔の中心から離間する方向に傾斜した傾斜長孔とからなり、傾斜長孔の孔壁を上記カムピンが摺接するカム面に形成しているので、複数枚の挟持羽根を駆動リングの回動によって各挟持羽根の基端部を枢着している枢着ピンを支点として同時に正確に且つ強制的にこれらの挟持羽根の注出口挟持面で囲まれた注出口挟持用空間部を拡縮させる方向に作動させることができ、各挟持羽根の注出口挟持面を注出口の外周面に設けている凹溝に同時に係止させてこれらの挟持羽根により注出口を確実に固定状態に挟持させることができると共にこのその挟持状態を維持しておくことができる。
【００２３】
請求項４、５に係る発明によれば、上記駆動リングに設けている少なくとも一つの長孔の外端部に、カムピンを係止させて複数枚の挟持羽根の注出口挟持面によって囲まれた挟持用空間部を最大限にまで拡大させた状態に維持するための係止孔部を設けていると共に、上記駆動リングと箱体の内面間に、駆動リングを上記挟持用空間部が縮小する回動方向に常時付勢している引っ張りスプリングを張設してあり、さらに、駆動リングに回動操作用突片を突設しているので、内袋の注出口に本発明注出口固定装置を装着する前に、回動操作用突片に指先を引っ掛けて上記駆動リングを引っ張りスプリングの引張力に抗して回動操作することによって、上記挟持用空間部を最大限にまで簡単に拡開させることができ、この状態にして挟持羽根に突設しているカムピンを長孔の外端部に設けている係止孔部に係止させれば、挟持用空間部を大きく開放させた状態に保持することができる。
【００２４】
次いで、箱体の外底面を、バッグインボックスにおける内袋に突設している注出口を外部に突出させるための開口部を設けた外箱の前面下部に当てがって外箱の開口部から突出している上記内袋の注出口を箱体の底板に設けている注出口挿通孔からこの注出口挿通孔に連通している上記挟持用空間部を通じて外部に突出させた状態にしたのち、挟持羽根に突設しているカムピンを長孔の外端部に設けている係止孔部から外すと、回動リングが引っ張りスプリングの復元力によって上記とは逆方向に回動して複数枚の挟持羽根をその枢着ピンを支点として注出口に向かって回動させ、挟持用空間部を縮小させながら注出口挟持面を瞬時に注出口の外周面に設けている周溝に進入、係合させて周溝の外周面複数箇所をこれらの挟持羽根によって挟着させることができ、本発明注出口固定装置による注出口の固定作業が迅速且つ円滑に行うことができる。
【００２５】
また、内袋内に充填している液体を使用したのち、注出口に装着している本発明注出口固定装置における箱体を閉止している蓋体を開き、上記箱体内に配設している上記駆動リングを、この駆動リングに突設している回動操作用突片を指先で操作して引っ張りスプリングの引張力に抗して回動操作することにより上記挟持用空間部を最大限にまで拡大させ、上述したように、挟持羽根に突設しているカムピンを長孔の外端部に設けている係止孔部に係止させて挟持用空間部を拡大した状態に維持させれば、本発明注出口固定装置を内袋の注出口から簡単に取り外すことができ、別なバッグインボックスの注出口固定用として再使用することができる。
【００２６】
請求項６に係る発明によれば、蓋体を箱体よりも一回り小さくして箱体の開口端をこの蓋体によって閉止した際に、蓋体の両側壁板を箱体の両側壁板によって被覆した状態となるように構成していると共に、この箱体の両側壁板に、バッグインボックスの外箱の前面に突設している箱体支持用軸体に着脱自在に取付けるための切欠開口部とこの切欠開口部から上方に向かって直角に連通した軸体係合用縦長孔部とを設けているので、使用時に、バッグインボックスの外箱の前面に突設している箱体支持用軸体に、箱体の両側壁板に設けている切欠開口部を挿通させて上記箱体支持用軸体をこの切欠開口部から軸体係合用縦長孔部に係止させることにより、本発明バッグインボックス用注出口固定装置を、内袋の注出口を外部に突出させるための開口部を有する外箱の前面下部に簡単且つ正確に取付けることができる。
【図面の簡単な説明】
【００２７】
【図１】本発明バッグインボックス用注出口固定装置の斜視図。
【図２】その正面図。
【図３】注出口挟持用空間部を拡開させた状態の斜視図。
【図４】その正面図。
【図５】分解斜視図。
【図６】挟持羽根の枢着部分の拡大斜視図。
【図７】その縦断側面図。
【図８】バッグインボックスの外箱に注出口固定装置を装着した状態の簡略斜視図。
【図９】その装着状態の縦断側面図。
【図１０】外箱における注出口突出用開口部を設けた部分の斜視図。
【図１１】注出口突出用開口部の前面に装着している状態の斜視図。
【図１２】（ａ）（ｂ）その装着手順を示す断面図。
【図１３】装着した状態の斜視図。
【図１４】その正面図。
【発明を実施するための形態】
【００２８】
本発明の具体的な実施の形態を図面について説明すると、下端部に液体注出口Ａを設けている内袋Ｂをコンテナからなる外箱Ｃ内に収納してなるバッグインボックスにおいて、上記内袋Ｂの注出口Ａを固定するための注出口固定装置は、図１〜図５に示すように、底板1aの中央部に円形の注出口挿通孔２を設けている箱体１と、上記注出口挿通孔２の周縁部上にこの注出口挿通孔２を囲むようにして配設され、注出口挿通孔２に面している内端面を注出口挟持面3aに形成している複数枚（図においては三枚）の注出口挟持羽根３、３、３と、これらの挟持羽根３、３、３上に重ね合わせられ、上記注出口挿通孔２の中心を回動中心として正逆方向に回動自在に配設された駆動リング４と、この駆動リング４の回動によって上記複数枚の挟持羽根３、３、３を上記注出口挿通孔２に対して出入りさせて、これらの挟持羽根３、３、３の上記注出口挟持面3a、3a、3aによって囲まれた挟持用空間部５を拡縮させる方向に作動させるカム手段６と、上記箱体１を開閉自在に閉止する蓋体７とを具備している。
【００２９】
なお、上記箱体１や注出口挟持羽根３、駆動リング４、蓋体７は薄い金属板から形成されている。
【００３０】
上記注出口固定装置の構造をさらに具体的に説明すると、箱体１は横長矩形状の底板1aの上下縁辺と両側縁辺に一定高さの上下壁板1b、1cと両側壁板1d、1eをそれぞれ突設して内部に、バッグインボックスにおける内袋Ｂの下端部に設けている上記注出口Ａが収容可能な深さ空間を有する偏平な角箱形状に形成されてあり、底板1aの中央部に設けている円形の注出口挿通孔２の孔径は、注出口Ａの外径よりも大径に形成されている。この箱体１の横幅は、バッグインボックスにおける外箱Ｃの前面に、この前面下端部に開口している注出口突出用開口部Ｄ（図10参照）を挟むようにして互いに平行に設けている金属製の外箱補強用縦枠Ｅ、Ｅ間に嵌め込み可能な寸法に形成されている。
【００３１】
なお、箱体１の底板1aの内底面中央部上に、上記注出口挿通孔２と同径の注出口挿通孔2'を設けて底板1aの一部を形成した枠状底板1a' を、上記注出口挿通孔２、2'を上下に合致させた状態に重ね合わせて一体に固着しているが、このような枠状底板1a' は後述するように必ずしも設ける必要はなく、以下においては、これらの底板1aと枠状底板1a' 、及び、重合している注出口挿通孔２、2'をそれぞれ単に一つの底板1a、注出口挿通孔２として説明する。
【００３２】
この注出口挿通孔２を囲むようにして注出口挿通孔２の周縁部上に配設された複数枚の注出口挟持羽根３、３、３は、図１、図２、図５に示すように、同大、同形に形成されている。詳しくは、挟持羽根３は注出口挿通孔２の周方向に長く、且つ、注出口挿通孔２の外周縁に沿ってへ字状に湾曲した板片からなり、この挟持羽根３の注出口挿通孔２に対する周方向の長さは、注出口挿通孔２の周長を挟持羽根３の枚数によって複数分割した長さよりも僅かに短い長さに形成されている。
【００３３】
そして、複数枚の挟持羽根３、３、３を底板1aの内底面における注出口挿通孔２の周縁部上の複数箇所に、周方向に隣接する挟持羽根３、３の先端と基端との間に小間隔を存するように順次配設して各挟持羽根３の基端部を注出口挿通孔２の周縁複数箇所（図においては注出口挿通孔２の周縁部の三方）に突設した枢着ピン８によって注出口挿通孔２に対して出没する方向（内外方向）に回動自在に枢着されている。
【００３４】
枢着ピン８は図７に示すように、その頭部8aを箱体１の底板1aに穿設している孔21内に没入するように挿入してこの頭部8aを底板1a上に重ねている上記枠状底板1a' の外底面に当接させているが、頭部が底板1aの外底面から出ないように底板1a内に没入状態となるように固定できれば、或いは、頭部8aが底板1a' から外部に突出させてもバッグインボックスの外箱Ｃにおける上記注出口突出用開口部Ｄから突出した注出口Ａの固定位置に箱体１を配置できれば、上記枠状底板1a' は必要としない。
【００３５】
裏面を複数枚の挟持羽根３、３、３上に重ねた状態にして配設している上記駆動リング４は、その中央部に上記注出口挿通孔２と同径又は大径の中央円形孔4aを設けてあり、この中央円形孔4aを注出口挿通孔２上にこの注出口挿通孔２と同心となるように合致させている。
【００３６】
さらに、上記駆動リング４の外周部には、上記各挟持羽根３の基端部を枢着している枢着ピン８に対応させて、この駆動リング４の回動中心を中心として円弧状に湾曲した長孔９が周方向に一定間隔毎に設けられてあり、これらの各長孔９に対応する各枢着ピン８を長孔９の長さ方向に相対移動可能に挿通している。なお、各枢着ピン８には図６、図７に示すように、長孔９の平行に対向する孔壁間の寸法に等しい環体片10を枢着ピン８回りに回転自在に被嵌して、この環体片10の外周面を長孔９の孔壁面に摺接させてあり、長孔９を設けている駆動リング４が偏心したりガタツキを生じさせることなく円滑に回動させるように構成しているが、このような環体片10を設けることなく、枢着ピン８を大径に形成してその外周面を長孔９の孔壁面に摺接させてもよい。
【００３７】
駆動リング４の回動によって上記複数枚の挟持羽根３、３、３を上記注出口挿通孔２に対して出入りさせて、これらの挟持羽根３、３、３の上記注出口挟持面3a、3a、3aによって囲まれた挟持用空間部５を拡縮させる方向に作動させるカム手段６は、各挟持羽根３の長さ方向の中央部、即ち、へ字状に湾曲した屈折部に突設しているカムピン11と、各カムピン11に対応して駆動リング４の複数箇所に内端側（中央円形孔側）から各挟持羽根３の枢着ピン８から離れる方向の外端側に向かっ傾斜した傾斜長孔12とからなり、傾斜長孔12の孔壁を上記カムピン11を摺接させるカム面に形成している。
【００３８】
このように、駆動リング４の外周複数箇所（図においては３方）には円弧状に湾曲した長孔９と傾斜長孔12とを一対として複数対、周方向に一定間隔毎に設けられてあり、さらに、上記複数の傾斜長孔12、12、12のうち、少なくとも一つの傾斜長孔12にはその外端部にこの傾斜長孔12に対して外側方向に直角に屈折した係止孔部12a を形成してあり、この係止孔部13にカムピン11を係止させるように構成している。
【００３９】
また、駆動リング４における箱体１の一側壁板1d側に面した外周縁部に突片4bを突設してあり、この突片4bと、箱体１の底板1aの内面、又は下側壁板1cの内面に箱体１内に向かって突設している突片1fとの間に引っ張りスプリング13を張設してこの引っ張りスプリング13の一端と他端をそれぞれ上記突片4bと突片1fに連結し、この引っ張りスプリング13の引張力によって上記駆動リング４を常時、上記カムピン11が傾斜長孔12に沿ってこの傾斜長孔12の内端側に向かう方向に付勢してあり、常態においては、カムピン11を傾斜長孔12の内端部に当接、受止させている。
【００４０】
カムピン11が傾斜長孔12の内端面に当接、受止されている状態においては、各挟持羽根３は枢着ピン８を中心としてその注出口挟持面3aを注出口挿通孔２内に突出させてあり、これらの挟持羽根３、３、３の注出口挟持面3a、3a、3aによって囲まれた挟持用空間部５をバッグインボックスにおける内袋Ｂの下端部に設けている注出口Ａの外径よりも狭い空間部となるように構成している。
【００４１】
また、上記駆動リング４を引っ張りスプリング13の引張力に抗して、円弧状に湾曲した長孔９とこの長孔９に挿通している枢着ピン８をガイドとして上記とは逆方向に回動させれば、この駆動リング４の回動によって各挟持羽根３に突設しているカムピン11が駆動リング４に設けている上記傾斜長孔12に沿ってこの傾斜長孔12の外端側に向かって移動して各挟持羽根３は枢着ピン８を中心としてその注出口挟持面3aを注出口挿通孔２から外側に没入させる方向に回動し、カムピン11が傾斜長孔12の外端に当接した際には、図３、図４に示すように、各挟持羽根３の注出口挟持面3aは注出口挿通孔２から完全に駆動リング４の裏面によって隠蔽された状態となるように外側に放射状に移動して、これらの挟持羽根３の注出口挟持面3aによって囲まれた挟持用空間部５が最大限にまで拡大するように構成している。
【００４２】
駆動リング４における箱体１の他側壁板1e側に面した外周縁部に箱体１の開口端に向かって操作用突片4cを突設してあり、この操作用突片4cを指先で駆動リング４を引っ張りスプリング13の引張力に抗して上記挟持用空間部５が拡開する方向に回動操作が行えるように構成している。
【００４３】
上記箱体１の蓋体７は、箱体１の底板1aよりも一回り小さい横長矩形状に形成されていると共に、その両側縁辺には高さが箱体１の両側壁板1d、1eの高さよりも低い両側壁板7a、7bが箱体１内に向かって突設されていて、閉蓋した際にこれらの両側壁板7a、7bの突出端面を箱体１の底板1aの両側端部内面に当接させた状態となるように形成されている。上記蓋体７の両側壁板7a、7bの外側面間の幅は、箱体１の上記両側壁板1d、1eの対向する内面間の幅よりも狭くなるように形成されていて、箱体１内に蓋体７を嵌入して箱体１の開口端を閉止した際には、箱体１と蓋体７との一方の側壁板1d、7aの対向面間と他方の側壁板1e、7bの対向面間に一定幅の隙間14、14が設けられるように構成している（図14参照）。
【００４４】
箱体１に対する蓋体７の取付構造は、箱体１の上記両側壁板1d、1eの上端部に螺子よりなる短い支軸15、15を蓋体７の両側壁板7a、7bに向かってそれぞれ突設している一方、上記箱体１の両側壁板1d、1eの上端部内側面に対向する蓋体１の上記両側壁板7a、7bの端部に、これらの両側壁板7a、7bの高さ方向に長い軸受け用長孔16、16を設けていて、この軸受け用長孔16に上記支軸15、15を挿通し、支軸15の端部にナット等を取付けてこの支軸1515を支点として蓋体７を開閉自在に枢着していると共に蓋体７を閉止した状態においては、上記軸受け用長孔16、16によって蓋体７が箱体１から持ち上がる方向に移動可能にしている。なお、支軸15には上記隙間14を保持するためのスペーサ17が装着されている。
【００４５】
さらに、箱体１の上記底板1aの両側端部における上下部に後述する箱体支持用軸体Ｆの軸体挿通用切欠開口部18、19を形成していると共に、これらの軸体挿通用切欠開口部18、19にそれぞれ連通させて蓋体７の両側壁板7a、7bを覆う箱体１の上記両側壁板1d、1eの上下部に軸体受入れ用切欠開口部20、21とこの軸体受入れ用切欠開口部20、21から上方に向かった直角に連通した軸体係合用縦長孔部22、23を設けている。
【００４６】
一方、バッグインボックスにおける上記外箱Ｃの前面に設けている上記両側補強用縦枠Ｅ、Ｅの対向面には、上記箱体１の底板1aの両側端部における上下部に設けている軸体挿通用切欠開口部18、19と上下方向に同一間隔を存して箱体支持用軸体Ｆ、Ｆを突設している。さらに、箱体１の上記両側壁板1d、1eにおける一方の側壁板1dの内面に、この側壁板1dの下部に設けている上記軸体係合用縦長孔部23の上半部に重ね合わせ状態に連通した軸体保持孔24を設けた板ばね25を沿わせてこの板ばね25の上部を側壁板1dの内面に固着している。なお、この軸体保持孔24は上記箱体支持用軸体Ｆよりも大径に形成されていて、軸体保持孔24内で上記箱体支持用軸体Ｆが上下左右に移動できるようにしている。
【００４７】
上記軸体保持孔24は板ばね25の下部に設けてあり、この軸体保持孔24から下方の板ばね下端部は、箱体１の内側方に向かって傾斜した傾斜片25a に形成され、この傾斜片25a を上記箱体1 における一方の側壁板1dに設けている軸体受入れ用切欠開口部21に臨ませている。なお、上記箱体支持用軸体Ｆ、Ｆは、この板ばね25に設けている上記軸体保持孔24や、外箱Ｃの両側壁板1d、1eに設けている上記軸体係合用縦長孔部22、23の幅（径）よりも小径に形成され、箱体１を上下左右に移動調整可能に支持するように構成している。
【００４８】
また、蓋体７の他側部における下端側（蓋体先端側）の隅角部には指先が引っ掛け可能な蓋体開閉用孔26が設けられていると共に蓋体１の他側壁板7bの下端部に上記蓋体開閉用孔26に対して直角に隣接し、且つ箱体１の他側壁板1eの下端部に設けている上記軸体係合用縦長孔部23に対応する通孔27を穿設してあり、箱体１を蓋体７によって閉止した際に、これらの蓋体開閉用孔26と通孔27、軸体係合用長孔部23に結着用線状物（図示せず）等を取り外し可能に掛け渡して閉蓋状態を維持できるように構成している。
【００４９】
上記バッグインボックスにおけるコンテナからなる外箱Ｃは、表面を金属製の枠材によって補強されている厚さが２ｍｍ程度のステンレス板からなり、例えば、１０００リットルの液体が収納可能な大型コンテナに形成されている。この外箱Ｃ内に収納される内袋Ｂは、ポリエチレンやポリプロピレン等の単層フィルム、或いは、このようなフィルムとアルミニウム箔とを組み合わせたラミネートフィルムその他の複層フィルムからなり、外箱Ｃの底面から四方壁面の内面に接して配設されるガセット袋等の形状に形成されている。  なお、外箱Ｃは上記ステンレス等の金属板以外に合成樹脂製板から形成しておいてもよい。
【００５０】
外箱Ｃの前面側に沿って配設される内袋Ｂにおける前面下端部には、上述したように、外箱Ｃの前面下端部に開口している上記注出口突出用開口部Ｄを通じて外部に突出させる注出口Ａが設けられている一方、この内袋Ｂの上部には液体充填口（図示せず）が設けられている。
【００５１】
上記注出口Ａは図９に示すように、円筒形状のスパウトA1と内栓A2とからなり、スパウトA1は内袋Ｂの前面下端部に設けている取付孔を通じて外部に突出した状態にしてその基端部に設けているフランジa1を内袋Ｂの内面に融着させることにより内袋Ｂに一体に取付けてあり、内栓A2はスパウトA1の基端開口部からスパウトA1内に、このスパウトA1の内周面にその外周面を螺合させながら且つ外周面に装着しているＯリングa2をスパウトA1の内周面に摺接させながら挿入し、その基端部に設けているフランジa3をスパウトA1のフランジa1上に当接させた状態となるようにスパウトA1内に装着している。さらに、この内栓A2の天壁中央部に、スパウトA1から内栓A2を取り外す際に使用する螺子孔a4を設けている。
【００５２】
なお、注出口Ａは上記スパウトA1と内栓A2とからなる構造のものを採用することなく、別な構造の注出口を採用してもよいが、いずれにおいても、注出口ＡのスパウトA1の基部外周面には、上記注出口固定装置における流出口挟持羽根３、３、３の注出口挟持面3aを受け入れてこれらの注出口挟持面3aで注出口Ａの外周面を挟着させるための一定の溝幅を有する周溝a5が設けられていると共に、スパウトA1の長さ方向の中間部外周面には、内袋Ｂ内の液体の取出装置（図示せず）を装着、支持するための周溝a6が設けられている。
【００５３】
次に、上記のように構成したバッグインボックス用注出口固定装置の使用態様について説明する。
【００５４】
外箱Ｃ内には上記内袋Ｂが外箱Ｃの底面から四方の内壁面に接した状態で収納され、内袋Ｂの前面下端部に設けている注出口Ａを外箱Ｃの前面下端部に設けている開口部Ｄから外部に突出させた状態となるように配設されてバッグインボックスを構成してあり、内袋Ｂ内には液体充填口を通じて液体が充填されている。
【００５５】
外箱Ｃの開口部Ｄから外部に突出している内袋Ｂの注出口Ａに本発明の注出口固定装置を装着して注出口Ａを固定するには、まず、注出口固定装置を注出口Ａに装着する前に、蓋体７を開いてこの注出口固定装置における回動リング４に突設している操作用突片4cを一方の手の指先でこの回動リング４に設けている円弧状に湾曲した長孔９をこの長孔９内に相対的に移動可能に設けられた挟持羽根３の基端枢着ピン８をガイドとして挟持羽根３を拡げる正方向（図１、図２において時計方向）に引っ張りスプリング13の引張力に抗して回動操作すると、各挟持羽根３に突設しているカムピン11が回動リング４に設けている傾斜長孔12の内端側から外端側に移動して、各挟持羽根３が枢着ピン８を支点として外側に回動し、箱体１の底板1aに設けている注出口挿通孔２内に突出させていた各挟持羽根３の注出口挟持面3aが注出口挿通孔２の外側に移動して図３、図４に示すように、これらの挟持羽根３、３、３によって囲まれた挟持用空間部５が大きく拡開する。
【００５６】
この状態にすると、各カムピン11が傾斜長孔12の外端に当接した位置に達して各挟持羽根３がそれ以上、拡がるのを阻止されてあり、外端部に係止孔部12a を設けた長孔12の外端部に達しているカムピン11を他方の手の指先でこのカムピン11を設けている挟持羽根３を僅かに外側方に回動させながら上記係止孔部12a に係止させて、引っ張りスプリング13の引張力にもかかわらず、回動リング４が逆方向に回動するのを阻止した状態にする。
【００５７】
このように複数枚の挟持羽根３、３、３によって囲まれた挟持用空間部５を大きく拡開させた状態に保持している箱体１をバッグインボックスにおける外箱Ｃの前面下部における両側の外箱補強用縦枠Ｅ、Ｅ間に嵌め込む。
【００５８】
この際、まず、図11に示すように蓋体７を把持して箱体１をその下端側から上端側に向かって手前に傾斜させた状態にしてその下端側から外箱補強用縦枠Ｅ、Ｅ間に挿入し、箱体１の底板1aの両側端部における下部に形成している左右一対の軸体挿通用切欠開口部19、19をバッグインボックスにおける上記外箱Ｃの両側補強用縦枠Ｅ、Ｅの対向面に突設している下側の左右一対の箱体支持用軸体Ｆ、Ｆにそれぞれ合わせてこれらの箱体支持用軸体Ｆ、Ｆを上記軸体挿通用切欠開口部19、19から箱体１の両側壁板1d、1eにおける下部に設けている軸体受入れ用切欠開口部21、21を通じてこの軸体受入れ用切欠開口部21、21から上方に向かった直角に連通した軸体係合用縦長孔部23、23の下部内に相対的に移動させる。
【００５９】
次いで、この下側の箱体支持用軸体Ｆ、Ｆを中心にして箱体１を傾斜状態から垂直状態となるように起立させて外箱補強用縦枠Ｅ、Ｅ間に嵌め込み、箱体１の外底面を外箱Ｃの前面に当接させると、外箱Ｃの注出口突出用開口部Ｄから外部に突出している注出口Ａが箱体１の底板1aに設けている注出口挿通孔２から挟持羽根３、３、３によって囲まれた挟持用空間部５及び回動リング４の中央円形孔4aを通じて箱体１内に突出した状態となる。  
【００６０】
さらに、箱体１の外底面が外箱Ｃの前面に当接する直前に、外箱Ｃの両側補強用縦枠Ｅ、Ｅの対向面に突設している上側の左右一対の箱体支持用軸体Ｆ、Ｆに箱体１の底板1aの両側端部における上部に形成している左右一対の軸体挿通用切欠開口部18、18がそれぞれ合致し、箱体１の外底面を外箱Ｃの前面に当接させた際に、上記上側の箱体支持用軸体Ｆ、Ｆが上記軸体挿通用切欠開口部18、18から箱体１の両側壁板1d、1eにおける上部に設けている軸体受入れ用切欠開口部20、20から上方に向かった直角に連通した軸体係合用縦長孔部22、22の下部内に内に入り込む。
【００６１】
この状態にして図12に示すように、箱体１を僅かに下方に移動させると、上側の左右一対の箱体支持用軸体Ｆ、Ｆと下側の左右一対の箱体支持用軸体Ｆ、Ｆとが、それぞれ箱体１の両側壁板1d、1eにおける上部に設けている左右一対の軸体係合用縦長孔部22、22内と、箱体１の両側壁板1d、1eにおける下部に設けている左右一対の軸体係合用縦長孔部23、23内とに沿って相対的に上方に移動し、これらの上端内面に係止して、箱体１がこれらの箱体支持用軸体Ｆ、Ｆによって支持された状態となる。
【００６２】
この際、箱体１の一側壁板1dの内面に取付けている板ばね25の下端傾斜片25a に、箱体１の一側壁板1dの下部に設けている上記軸体係合用縦長孔部23に挿通した上記箱体支持用軸体Ｆの先端が当接し、箱体１を下方に移動させるにしたがって、箱体支持用軸体Ｆによりこの板ばね25をこの板ばね25の上部を支点として内側に弾性的に撓ませながら箱体支持用軸体Ｆを相対的に上方に移動させ、上記軸体係合用縦長孔部23の上部に達した時に板ばね25の下部に設けている軸体保持孔24内に挿通状態で係合する。この状態にすると、箱体１が外箱Ｃの前面から不測に取り外されるのを阻止される。
【００６３】
なお、このように、バッグインボックスにおける外箱Ｃの注出口突出用開口部Ｄを覆うようにして箱体１を、その軸体係合用縦長孔部22、23の上端内面に箱体支持用軸体Ｆ、Ｆを係止させた状態となるように外箱Ｃの前面に装着した状態においては、箱体１の底板1aに設けている注出口Ａ挿通孔や複数枚の注出口挟持羽根３によって囲まれた挟持用空間部５、及び回動リング４の中央円形孔4aの中心は、注出口Ａの中心よりも下方に偏心するように軸体係合用縦長孔部22、23を所定の長さ寸法に設定している。
【００６４】
この状態から挟持羽根３に突設しているカムピン11を回動リング４に設けている傾斜長孔12の外端部の係止孔部12a から外すと、回動リング４が引っ張りスプリング13の復元力によって上記とは逆方向に回動し、各挟持羽根３に突設しているカムピン11が傾斜長孔12の外端側から内端に向かって移動して上記複数枚の挟持羽根３、３、３がその基端部の枢着ピン８を支点して同時に一斉に注出口Ａの外周面に向かって内方に回動し、図２、図９に示すよう、挟持羽根３、３、３の注出口挟持面3aによって囲まれた挟持用空間部５を瞬時に縮小させてその注出口挟持面3aを注出口Ａの基端部外周面に設けている周溝a5に進入、係合させ、周溝a5の外周面複数箇所をこれらの挟持羽根３、３、３によって挟着させて、注出口Ａを固定する。
【００６５】
この際、同時に回動する複数枚の挟持羽根３、３、３のうち、上側の挟持羽根３の注出口挟持面3aが他の挟持羽根３、３の注出口挟持面3aよりも先に注出口Ａの周溝a5における上周部に係止し、その係止力によって箱体１を箱体支持用軸体Ｆ、Ｆに沿って僅かに上方に移動させ、挟持用空間部５の中心を注出口Ａの中心に合致させて複数枚の挟持羽根３、３、３により、注出口Ａの周溝a5の外周面は均等に挟着される。
【００６６】
しかるのち、蓋体１を閉じ、必要に応じて蓋体７の隅角部に設けている上記蓋体開閉用孔26と、蓋体１の他側壁板7bの下端部に設けている通孔27と、箱体１の他側壁板1eの下端部に設けている上記軸体係合用縦長孔部23とに結着用紐状物（図示せず）等を掛け渡して結着することにより閉蓋状態を維持させる。
【００６７】
こうして、本発明の注出口固定装置によってバッグインボックスにおける外箱Ｃの開口部Ｄから突出した内袋Ｂの注出口Ａを被覆、固定されたバッグインボックスは、運搬されてユーザ等に供給され、内袋Ｂ内に充填している液体の取り出し時には、蓋体７を上方に開いたのち、箱体１内に突出している注出口ＡにおけるスパウトA1の外周面に設けた周溝a6に液体取出装置（図示せず）を支持させ、注出口Ａの内栓A2をこの取出装置によってスパウトA1内から内袋Ｂ内に向かって押し出すことにより、液体をスパウトA1内から取出装置を通じて外部に流出させる。
【００６８】
また、内袋Ｂ内の液体が全て取り出されると、箱体１の一側壁板1dの内面に取付けている板ばね25の下端傾斜片25a を内側に弾性的に移動させてこの板ばね25の軸体保持孔24に係合しているバッグインボックスにおける補強用縦枠Ｅに突設した箱体支持用軸体Ｆを軸体保持孔24から離脱させた状態にし、この状態にして箱体１を外箱Ｃの外面に沿って押し上げたのち手前に引くことによって、バッグインボックスにおける上記外箱Ｃの上記両側補強用縦枠Ｅ、Ｅの対向面上下部に突設している上記箱体支持用軸体Ｆから、箱体１の両側壁板1d、1eにおける上部に設けている左右一対の軸体係合用縦長孔部22、22を離脱させ、バッグインボックスから本発明注出口固定装置を取り外す。
【００６９】
こうして、取り外した本発明注出口固定装置は、別なバッグインボックスにおける注出口Ａの固定用として再使用する。
【符号の説明】
【００７０】
１  箱体
２  注出口挿通孔
３  注出口挟持羽根
４  駆動リング
５  挟持用空間部
６  カム手段
７  蓋体
８  枢着ピン
９  長孔
11  カムピン
12  傾斜長孔
12a   係止孔部
13  引っ張りスプリング
15  支軸
18、19  軸体挿通用切欠開口部
20、21  軸体受入れ用切欠開口部
22、23  軸体係合用縦長孔部
Ａ  注出口
Ｂ  内袋
Ｃ  外箱
Ｄ  開口部
Ｅ、Ｅ  外箱補強用縦枠
Ｆ  箱体支持用軸体
【図１】
2018065576.tif 000003
【図２】
2018065576.tif 000004
【図３】
2018065576.tif 000005
【図４】
2018065576.tif 000006
【図５】
2018065576.tif 000007
【図６】
2018065576.tif 000008
【図７】
2018065576.tif 000009
【図８】
2018065576.tif 000010
【図９】
2018065576.tif 000011
【図１０】
2018065576.tif 000012
【図１１】
2018065576.tif 000013
【図１２】
2018065576.tif 000014
【図１３】
2018065576.tif 000015
【図１４】
2018065576.tif 000016